(57)【要約】【課題】  部品点数を少なくし、施工性、管理性及び操作性に優れた収納型連動式引戸を提供する。【解決手段】  上框ガイドレール５の下部レール７の長手方向に敷設される固定ラック４１と、戸尻側引戸２０に回動自在に軸支され、固定ラック４１と噛合するピニオン３０と、当該ピニオン３０と噛合し、戸尻側引戸２０に装着され、可動ガイドレール９に支持されながら移動する可動ラック４２と、を備える引戸連動装置Ｒを備える収納型連動式引戸Ｈとした。【選択図】  図２
2020016111.tif 000002
【特許請求の範囲】
【請求項１】
第一引戸と、前記第一引戸を収納する第二引戸と、前記第一引戸及び前記第二引戸の連動装置と、備え、
戸枠に設けられている第一案内部材と、前記第一引戸及び前記第二引戸間に設けられている第二案内部材に沿い、前記第一引戸の開閉方向への移動に追従して、前記第二引戸が移動する収納型連動式引戸において、
前記連動装置は、前記第一案内部材の長手方向に延設される固定棒状歯車部材と、
前記第二案内部材の長手方向に延設される可動棒状歯車部材と、
前記第二引戸の所定位置において、支持部材により回動自在に軸支され、前記固定棒状歯車部材及び前記可動棒状歯車部材と噛合する円筒歯車部材と、を有すること、を特徴とする収納型連動式引戸。
【請求項２】
前記第二引戸の収納部を備え、
前記第二引戸は、第一引戸を収納した状態で、前記第二引戸の収納部に収納可能となるように構成されていること、を特徴とする請求項１に記載の収納型連動式引戸。
【請求項３】
前記支持部材には、前記固定棒状歯車部材及び前記可動棒状歯車部材と、前記円筒歯車部材とを噛合させる所定位置において、前記円筒歯車部材を位置決めする第一位置決め手段と、
前記固定棒状歯車部材及び前記可動棒状歯車部材と、前記円筒歯車部材との噛合を解除させる所定位置において、前記円筒歯車部材を位置決めする第二位置決め手段と、が設けられており、
前記円筒歯車部材は、前記第一位置決め手段と、前記第二位置決め手段との間を移動自在となるように構成されていること、を特徴とする請求項１又は請求項２に記載の収納型連動式引戸。
【発明の詳細な説明】
【技術分野】
【０００１】
本発明は、複数枚の引戸を連動して開閉操作することのできる収納型である連動式の引戸に関する。
【背景技術】
【０００２】
従来、病室等の各種の施設における出入口の開口部を開閉するために連動式の引戸が使用されている。このような連動式の引戸の一種類として、全開時に戸先側引戸が戸尻側引戸内に収容されるとともに、当該戸尻側引戸が戸袋内に収納される、いわゆる収納型である連動式の引戸（以下、「収納型連動式引戸」という。）が存在している。
【０００３】
従来の収納型連動式引戸における連動手段として、戸尻側引戸（後扉）の上部において、前後に所要間隔を存して取付けられる対をなすプーリと、この両プーリ間に懸架されるワイヤとを備え、当該ワイヤの適所を戸先側引戸（前扉）に、また他の適所を上枠適所に固定し、戸先側引戸の移行に伴うワイヤの移行により前後のプーリを介して戸尻側引戸を追随させる技術が存在している（特許文献１）
【先行技術文献】
【特許文献】
【０００４】
【特許文献１】特開２００１−９０４３２号公報
【発明の概要】
【発明が解決しようとする課題】
【０００５】
しかし、従来の収納型連動式引戸では、部品点数が多くなること、施工が煩雑であること、ワイヤが切断することや緩みが発生する恐れがあること等の問題点が存在していた。
【０００６】
本発明は、上記各問題点を解決するためになされたものであり、部品点数を少なくし、施工性、管理性及び操作性に優れた収納型連動式引戸を提供することを目的としている。
【課題を解決するための手段】
【０００７】
上記目的を達成するために、本発明の収納型連動式引戸（以下、「本収納型連動式引戸」という場合がある。）は、第一引戸と、上記第一引戸を収納する第二引戸と、上記第一引戸及び上記第二引戸の連動装置と、備え、戸枠に設けられている第一案内部材と、上記第一引戸及び上記第二引戸間に設けられている第二案内部材に沿い、上記第一引戸の開閉方向への移動に追従して、上記第二引戸が移動する収納型連動式引戸において、上記連動装置は、上記第一案内部材の長手方向に延設又は敷設される固定棒状歯車部材と、上記第二案内部材の長手方向に延設又は敷設される可動棒状歯車部材と、上記第二引戸の所定位置において、支持部材により回動自在に軸支され、上記固定棒状歯車部材及び上記可動棒状歯車部材と噛合する円筒歯車部材と、を有すること、を特徴としている。
【０００８】
また、本収納型連動式引戸において、上記第二引戸の収納部を備え、上記第二引戸は、第一引戸を収納した状態で、上記第二引戸の収納部に収納可能となるように構成されることが好適である。
【０００９】
ここで、本収納型連動式引戸は、２枚以上の複数の引戸を備え、連動装置により、少なくとも２枚の引戸の動作を追従可能とする場合において適用できるものである。また、円筒歯車部材は、所定位置に支持部材を介して軸支されていればよく、例えば、第一引戸の移動手段である戸車部材の支軸等を支持部材として兼用することができる。
【００１０】
本収納型連動式引戸によれば、連動装置を固定棒状歯車部材と、可動棒状歯車部材と、円筒歯車部材とを用いて構成することにより、部品点数を少なくし、施工の省力化を図ることができる。また、ワイヤ等を使用していないため、ワイヤが切断することや緩みが発生する恐れがあることを防止することができ、メンテナンス等を簡便に行うことができる。
【００１１】
また、本収納型連動式引戸において、上記円筒歯車部材の上記支持部材には、上記固定棒状歯車部材及び上記可動棒状歯車部材と、上記円筒歯車部材とを噛合させる所定位置において、上記円筒歯車部材を位置決めする第一位置決め手段と、上記固定棒状歯車部材及び上記可動棒状歯車部材と、上記円筒歯車部材との噛合を解除させる所定位置において、上記円筒歯車部材を位置決めする第二位置決め手段と、が設けられており、上記円筒歯車部材は、上記第一位置決め手段と、上記第二位置決め手段との間を移動自在となるように構成することが好適である。
【００１２】
ここで、上記円筒歯車部材を位置決めする第二位置決め手段の位置は、上記固定棒状歯車部材及び上記可動棒状歯車部材と、上記円筒歯車部材との噛合及びその解除を容易に行うことができる位置であれば、その位置に制限はない。
【００１３】
また、円筒歯車部材の移動方向は、当該円筒歯車部材と可動棒状歯車部材との位置関係により定まるものであり、鉛直方向及び水平方向等、任意の方向とすることができ、円筒歯車部材の移動方法に関しても制限はない。
【００１４】
本収納型連動式引戸によれば、上記円筒歯車部材が、第一位置決め手段と、第二位置決め手段との間を移動自在となるように構成されているため、当該円筒歯車部材を移動させることにより、容易に、固定棒状歯車部材及び可動棒状歯車部材と、上記円筒歯車部材との噛合及び解除を行わせることができる。したがって、各引戸の取り付け及び取り外しが容易になることから、取付時及び不具合時等の調整作業の際の負担を軽減させることができる。
【発明の効果】
【００１５】
本発明によれば、部品点数を少なくし、施工性、管理性及び操作性に優れた収納型連動式引戸を提供することが可能となる。
【図面の簡単な説明】
【００１６】
【図１】本発明の収納型連動式引戸（半開状態）を示す斜視図である。
【図２】本発明の収納型連動式引戸の一部を示す一部を分解した斜視図である。
【図３】図２におけるＸ−Ｘ断面図である。
【図４】本発明の収納型連動式引戸（全開状態）の上面部（中央部の戸車ユニットは図示せず）である。
【図５】本発明の収納型連動式引戸の連動装置を構成するピニオン及びその近傍を示す側断面図である。
【図６】本発明の収納型連動式引戸の連動装置を構成するピニオン及びその近傍を示す側面図であり、（ａ）は、固定ラック及び可動ラックとの噛合時、（ｂ）は、固定ラック及び可動ラックとの噛合解除時である（固定ラック及び可動ラックは図示せず）。
【図７】本発明の収納型連動式引戸の連動装置の動作を説明するための正面図（全開状態）である。
【図８】本発明の収納型連動式引戸の連動装置の動作を説明するための上面図（全開状態）である（上框は図示せず）。
【図９】本発明の収納型連動式引戸の連動装置の動作を説明するための正面図（半開状態）である。
【図１０】本発明の収納型連動式引戸の連動装置の動作を説明するための上面図（半開状態）である（上框は図示せず）。
【図１１】本発明の収納型連動式引戸の連動装置の動作を説明するための正面図（全閉状態）である。
【図１２】本発明の収納型連動式引戸の連動装置の動作を説明するための上面図（全閉状態）である（上框は図示せず）。
【発明を実施するための形態】
【００１７】
以下、図面を参照しつつ、本収納型連動式引戸Ｈの一実施形態について、二枚の引戸を用いた二連式引戸の場合を例として詳細に説明する。図面の説明においては、同一要素には同一符号を付し、重複する説明を省略する。
なお、本収納型連動式引戸Ｈの戸尻側とは、戸袋Ｆの側（図１における右奥側をいい、戸先側とは、開口部Ｋの側（図１における左手前側）をいう。
【００１８】
［全体構成］
図１に示すように、本収納型連動式引戸Ｈは、戸先側引戸１０（第一引戸）と、当該戸先側引戸１０を収納する戸尻側引戸２０（第二引戸）と、戸尻側引戸２０を収納する戸袋Ｆ（収納部）と、戸先側引戸１０及び戸尻側引戸２０（以下、これらの引戸を総称して、「両引戸」という場合がある。）を連動させて移動させるための引戸連動装置Ｒとを備えている。
【００１９】
両引戸１０，２０が設けられる矩形形状の開口部Ｋは、戸枠を構成する戸当部３ａと、上框３ｂと、下框３ｃと、戸袋Ｆの戸先側の側縁Ｆ１により形成されている。そして、戸先側引戸１０は、戸尻側引戸２０に収納可能であり、当該収納された両引戸１０，２０が全開時において、戸袋部Ｆに収納される構造及び寸法に形成されている。
【００２０】
上框３ｂの長手方向には全体にわたり、外形が略凸状の断面形状である長尺の上框ガイドレール５（第一案内部材）が敷設（延設）されている（図２）。上框ガイドレール５は、門型形状の上部レール６（以下、単に「上框上部レール」という場合がある。）と、当該上框上部レール６に接続する幅広の下部レール７（以下、単に「上框下部レール」という場合がある。）とから形成されている。そして、上框下部レール７は、外側溝形部７ａと、先端に円形状（断面視）の係合突部７ｃを有する内側部７ｂから構成されている（図３）。
【００２１】
また、後記戸先側引戸１０の長方形状の突出部１１ａと、戸尻側引戸２０の戸先側上端部の間には、長尺の可動ガイドレール９（第二案内部材）が延設されている。可動ガイドレール９は、内側溝形部９ａと、円形状（断面視）の凹部を有する外側凹部９ｂと、両部を接続する倒立したＬ字形状（断面視）である接続支持部９ｃを有している（図３）。
【００２２】
上記可動ガイドレール９は、戸先側の端部がブラケット１９により、戸先側引戸１０の突出部１１ａに取り付けられている。また、上框下部レール７の係合突部７ｃは、可動ガイドレール９の外側凹部９ｂに移動自在に挿通されており、当該可動ガイドレール９は、上框ガイドレール５に案内されて、長手方向に移動自在となっている。
【００２３】
［戸先側引戸及び戸尻側引戸］
戸先側引戸１０及び戸尻側引戸２０は、開口部Ｋが開閉されるように、上框３ｂにおける上框ガイドレール５に、移動自在となるように懸架されている。
戸先側引戸１０及び戸尻側引戸２０は、各引戸本体１１，２１と、戸車ユニット１５Ａ〜１５Ｃと、を主要構成要素としている（図２）。
【００２４】
戸車ユニット１５Ａ〜１５Ｃは、戸先側引戸１０における戸先側の突出部１１ａの上面及び戸尻側引戸２の両端部の上面に、同一構造の装置がそれぞれ設けられている。上記戸車ユニット１５Ａ〜１５Ｃには、複数（本実施形態では４個）の戸車１６が戸車軸１７に回動自在に設けられている。各戸車１６は、上框上部レール６に沿って転動可能であり、各戸車ユニット１５Ａ〜１５Ｃの動作により、両引戸１０，２０が上框ガイドレール５に吊持され、長手方向に連動しながら移動し、開口部Ｋが開閉する構造になっている。
【００２５】
戸尻側引戸２０には、矩形形状である公知の引戸を使用することができるものであるが、当該戸尻側引戸２０の引戸本体２１には、戸先側引戸１０の引戸本体１１を収納するための収納空間２２が設けられている。この収納空間２２は、戸尻側引戸２１の前端面の開口部２１ａと連通している。そして、収納空間２２の上部には、長手方向に略門型形状の引戸内ガイドレール２５が敷設（延設）されている。
【００２６】
一方、戸先側引戸１０の引戸本体１１は、戸先側における上部の先端部が突出する形状となっている（符号１１ａが突出部を示している）。そして、窪んだ上縁部における戸尻側の端部の上面に複数（本実施形態では２個）の戸車１８が回動自在に設けられており、戸先側引戸１０は、引戸内ガイドレール２５に沿って、戸尻側引戸２０の収納空間２２から出没自在となっている。
【００２７】
［引戸連動装置］
図３及び図４に示すように、引戸連動装置Ｒは、固定ラック４１（固定棒状歯車部材）と、ピニオン３０（円筒歯車部材）と、可動ラック４２（可動棒状歯車部材）とを備えている。
【００２８】
固定ラック４１は、上框下部レール７の溝形部７ａの長手方向全長にわたり、歯部４１ａが内側となるように介装（延設）されている。
【００２９】
戸尻側引戸２０の戸先側の戸車ユニット１５Ｂにおける戸車軸１７（円筒歯車部材の支持部材）（他の戸車軸と区別をする場合に、１７Ｂと符号を付す）には、歯車部３１が水平方向となるように、ピニオン３０が回動自在に軸支されている。ピニオン３０は、内枠３２の周囲に円筒形状の歯車部３１を有しており、当該歯車部３１が固定ラック４１の歯部４１ａ及び可動ラック４２の歯部４２ａと噛合し、上框下部レール７に沿って移動可能となっている（図５）。
【００３０】
上記ピニオン３０の内枠３２は、所定の弾性力を有する部材であり（本実施形態では、合成樹脂製）、上部が円筒形状、かつ、下部が円錐台状となっている。そして、その下端部には係合爪３２ａ（第一位置決め手段）が設けられている。
【００３１】
また、戸車軸１７Ｂの所定高さ（ピニオン３０と、固定ラック４１及び可動ラック４２とが噛合可能となる高さ）には、上記係合爪３２ａと係合する形状に係合溝１７ａ（第一位置決め手段）が形成されており、戸尻側引戸２０の上縁部の近傍には、上記係合爪３２ａの下方への移動を規制するための係合段部１７ｂ（第二位置決め手段）が突設されている（本実施形態では、戸車軸１７Ｂの係合溝１７ａと、ピニオン３０の係合爪３２ａの組み合わせにより、第一位置決め手段が形成されている。）。
【００３２】
上記構成により、ピニオン３０の内枠３２の係合爪３２ａが、戸車軸１７Ｂの係合溝１７ａと係合することで上限位置に位置決めされ、固定ラック４１及び可動ラック４２と噛合するようになっている（図６（ａ））。また、上記係合爪３２ａと係合溝１７ａとの係合を解除することにより、ピニオン３０が戸車軸１７Ｂの係合段部１７ｂの部分に移動し、当該下限位置で位置決めされることが可能となっている（図６（ｂ））。
【００３３】
このように、上記ピニオン３０は、戸車軸１７Ｂの上下方向に往復移動可能となっており、固定ラック４１及び可動ラック４２との噛合及び解除が自在に構成されている。
【００３４】
図３及び図４に示すように、可動ラック４２は、可動ガイドレール９の内側溝形部９ａの長手方向全長にわたり、歯部４２ａが内側（ピニオン側）となるように溶着により介装（延設）されており、ピニオン３０と噛合し、可動ガイドレール９に沿って、戸尻側引戸２０とともに移動可能となっている。
【００３５】
なお、可動ラック４２及びピニオン３０と、固定ラック４１及びピニオン３０の速度伝達比は、戸先側引戸１０の移動量が、戸尻側引戸２０の移動量の２倍となるように構成されている。上記構成により、上框下部レール７に沿い、可動ガイドレール９にガイドされながら、戸先側引戸１０の開閉方向への移動に追従して、戸尻側引戸２０が移動可能となっている。
【００３６】
［本収納型連動式引戸Ｈの使用方法］
続いて、本収納型連動式引戸Ｈの使用方法について説明する。
なお、以下の説明において、既に、上框ガイドレール５の上框下部レール７の外側溝形部７ａには固定ラック４１が介装されている。また、可動ガイドレール９の内側溝形部９ａには可動ラック４２が介装され、当該可動ガイドレール９は、戸先側引戸１０と戸尻側引戸２０の所定位置に取り付けられている。
【００３７】
まず、戸先側引戸１０と戸尻側引戸２０が完全に開扉している状態（全開状態）を想定する（図７，図８）。この状態で、戸先側引戸１０を戸先側に移動させて戸尻側引戸２０から引き出すと、当該戸尻側引戸２０は戸先側引戸１０と連動して戸先方向に移動しながら戸袋Ｆから引き出され（図９、図１０）、その後、完全に閉扉する（全閉状態）（図１１，図１２）。
【００３８】
また、閉扉状態において、戸先側引戸１０を戸尻側に移動させると、当該戸尻側引戸２０の収納空間２２に収納されながら開扉される。そして、当該戸尻側引戸２０は戸先側引戸１０連動して戸尻側方向に移動し、徐々に戸袋Ｆに収納される。その後、戸先側引戸１０は、戸尻側引戸２０の収納空間２２に完全に収納されるとともに、戸尻側引戸２０は、戸袋Ｆに完全に収納されて全開状態となる。
【００３９】
一方、戸先側引戸１０と戸尻側引戸２０の連動を解除する場合には、戸先側引戸１０と戸尻側引戸２０を全開状態として、ピニオン３０の係合爪３２ａと係合溝１７ａの係合を解除し、下方に移動させることにより、当該ピニオン３０と、固定ラック４１及び可動ラック４２との噛合を解除する。そして、必要に応じて、可動ガイドレール９を上框ガイドレール５から引き抜き、戸先側引戸１０を取り外すことができる。
【００４０】
［本収納型連動式引戸Ｈの作用効果］
本収納型連動式引戸Ｈによれば、引戸連動装置Ｒを固定ラック４１と、可動ラック４２と、ピニオン３０とを用いて構成することにより、部品点数を少なくし、施工の省力化を図ることができる。また、ワイヤ等を使用していないことから、ワイヤが切断することや緩みが発生する恐れがあることを防止することができるため、メンテナンス等を簡便に行うことができる。
【００４１】
また、本収納型連動式引戸Ｈによれば、ピニオン３０が、戸車ユニット１５Ｂの戸車軸１７Ｂにおける係合溝１７ａと係合段部１７ｂの間を、上下方向に移動自在となるように構成されてり、当該ピニオン３０を移動させることにより、容易に、固定ラック４１と可動ラック４２と、上記ピニオン３０との噛合及び解除を行わせることができる。したがって、戸先側引戸１０及び戸尻側引戸２０の取り付け及び取り外しが容易になることから、取付時及び不具合時等の調整作業の際の負担を軽減させることができる。
【００４２】
以上、本発明について、好適な実施形態についての一例を説明したが、本発明は当該実施形態に限られず、本発明の趣旨を逸脱しない範囲で、適宜設計変更が可能である。
【００４３】
例えば、本収納型連動式引戸の適用対象である引戸、及び引戸連動装置を構成する固定棒状歯車部材、円筒歯車部材、可動棒状歯車部材についての仕様、材質、寸法、形状、取付位置等に関しては、基本的な構成を備えていれば、種々の構造を用いることができる。例えば、引戸の材質は、スチール製、木製等制限はない。
【００４４】
また、本実施形態では、上吊引戸を用いて説明したが、走行式であってもよく、引戸連動装置の取付位置についても、引戸の種類に応じて、上部及び下部等制限はない。加えて、第一案内部材は、引戸の形態により、戸枠の適宜の位置に設けることができる。
【００４５】
また、円筒歯車部材の数及びその設置位置についても制限はない。但し、円筒歯車部材は、戸尻側引戸の戸先側の先端近傍に設けることが、戸先側引戸との連動動作の範囲を長くすることができることから好適である。
【００４６】
また、可動棒状歯車部材の保持部材の数及び取付位置についても制限はなく、可動棒状歯車部材は、第二案内部材に着脱自在に設けられているものであってもよい。
さらに、第一位置決め手段を、支持軸（戸車軸）の係合溝と、円筒歯車部材の係合突起（ピニオンの係合爪）との組み合わせによる構成としたが、支持軸のみに出没自在なストッパ部材を設ける等の構成とするもの等であってもよい。
【符号の説明】
【００４７】
Ｈ    収納型連動式引戸
Ｆ    戸袋（第二引戸の収納部）
Ｒ    引戸連動装置
５    上框ガイドレール（第一案内部材）
６    （上框）上部レール
７    （上框）下部レール
７ａ  外側溝形部
９    可動ガイドレール（第二案内部材）
９ａ  内側溝形部
１０    戸先側引戸（第一引戸）
１１，２１    引戸本体
１５Ａ〜１５Ｃ    戸車ユニット
１７（１７Ｂ）    戸車軸（円筒歯車部材の支持部材）
１７ａ  係合溝（第一位置決め手段）
１７ｂ  係合段部（第二位置決め手段）
２０    戸尻側引戸（第二引戸）
２２    収納空間
３０    ピニオン（円筒歯車部材）
３１    歯車部
３２ａ  係合爪（第一位置決め手段）
４１    固定ラック（固定棒状歯車部材）
４２    可動ラック（可動棒状歯車部材）
【図１】
2020016111.tif 000003
【図２】
2020016111.tif 000004
【図３】
2020016111.tif 000005
【図４】
2020016111.tif 000006
【図５】
2020016111.tif 000007
【図６】
2020016111.tif 000008
【図７】
2020016111.tif 000009
【図８】
2020016111.tif 000010
【図９】
2020016111.tif 000011
【図１０】
2020016111.tif 000012
【図１１】
2020016111.tif 000013
【図１２】
2020016111.tif 000014